(57)【特許請求の範囲】
【請求項１】
互いに引き違い可能に設けられ、閉じ状態において面一状に隣接する戸パネル（２Ｌ・２Ｒ）が開口枠（１）に設けてあるフラット引戸であって、
開口枠（１）の上下に、隣接する少なくとも一方の戸パネル（２Ｒ）を、閉止位置と開放位置とに変位可能に支持する上レール装置（２０）と下レール装置（２１）とが設けられており、
前記戸パネル（２Ｒ）には、上ガイドレール（２３）で転動案内される複数個のローラー（１４）と、下レール装置（２１）で移行案内される複数個の振止め具（１６）とが設けられており、
下レール装置（２１）は、開放位置へ変位操作された戸パネル（２Ｒ）の振止め具（１６）を移行案内する主レール（４６）と、主レール（４６）の閉止端に設けられて、振止め具（１６）を閉止位置と開放位置との間で移行案内する誘導溝（５４）を備えたエンドブロック（４７・４８）とを含み、
上レール装置（２０）は、開口枠（１）に固定されるレールブラケット（２２）と、レールブラケット（２２）で閉止位置と開放位置とに前後揺動可能に支持される上ガイドレール（２３）と、上ガイドレール（２３）を開放位置においてロック保持するレールロック機構（２４）と、上ガイドレール（２３）を閉止位置および開放位置において位置保持する節動機構（２５）とを含み、
戸パネル（２Ｒ）に、戸パネル（２Ｒ）の閉止位置への移動に先行してレールロック機構（２４）をロック解除操作するロック解除体（１７）が設けてあり、
上ガイドレール（２３）が、レールブラケット（２２）の内底面に沿って転動する湾曲ベース（２９）と、湾曲ベース（２９）から上向きに突設されるレール枠（３０）と、レール枠（３０）の上端に設けられるレール（３１）とを一体に備えた条材からなり、
レールロック機構（２４）は、レールブラケット（２２）で上下揺動可能に軸支されるロックブロック（４２）と、ロックブロック（４２）をロック付勢するロックばね（４３）とからなり、
ロックブロック（４２）には、開放位置へ揺動したレール（３１）と係合して、上ガイドレール（２３）を開放位置に保持固定する捕捉体（４４）が設けられており、
戸パネル（２Ｒ）が開放位置から閉止位置へ移行するのに先行して、ロック解除体（１７）がロックブロック（４２）をロックばね（４３）の付勢力に抗してロック解除操作できるように構成してあるフラット引戸。
【請求項２】
隣接する戸パネル（２Ｌ・２Ｒ）の一方が、開口枠（１）に設けたガイドレール（７）でローラー（４）を介して引き違い開閉のみ可能に吊持されており、
隣接する戸パネル（２Ｌ・２Ｒ）の隣接端面には、傾斜するすれ違い面（１１）が形成されており、
他方の戸パネル（２Ｒ）が、上レール装置（２０）と下レール装置（２１）とによって、閉止位置と開放位置との間で前後変位可能に支持してある請求項１記載のフラット引戸。
【請求項３】
節動機構（２５）が、開口枠（１）で前後揺動可能に軸支した支軸（３３）と、支軸（３３）でスライド自在に支持した節動軸（３４）と、節動軸（３４）の突端に固定した押圧ブロック（３５）と、節動軸（３４）をレール（３１）に向かって押し付け付勢する節動ばね（３６）とを含み、
節動軸（３４）の揺動中心位置が、上ガイドレール（２３）の前後揺動ストロークの中央近傍に配置してある請求項１または２記載のフラット引戸。
【請求項４】
エンドブロック（４７・４８）に、引き違い開閉のみ可能に吊持案内された戸パネル（２Ｌ）の振止ローラー（６）を移行案内する連絡溝（５２）、および側端溝（５６）と、他方の戸パネル（２Ｌ）の振止ローラー（１６）を閉止位置と開放位置との間で移行案内する誘導溝（５４）とが形成されて、誘導溝（５４）の閉止端における溝中心が、連絡溝（５２）および側端溝（５６）の溝中心に一致させてあり、
後者振止ローラー（１６）の上下寸法、および誘導溝（５４）の溝深さが、前者振止ローラー（６）の上下寸法、および連絡溝（５２）および側端溝（５６）の溝深さより大きく設定してある請求項１、２または３記載のフラット引戸。  
【発明の詳細な説明】
【技術分野】
【０００１】
本発明は、引き違い可能な戸パネルを面一状に閉止できるフラット引戸に関する。本発明のフラット引戸は、例えばウォークインクロゼットや押し入れの開口面、あるいは居室の出入口を開閉する引戸として、あるいは部屋の間仕切りとして使用することができる。
【背景技術】
【０００２】
フラット引戸においては、一方または双方の戸パネルを引き違い位置と閉じ位置との間で前後変位させるが、そのための変位機構として、ガイドレールを前後揺動させる形態（特許文献１、２参照）と、ガイド溝の両端および中央の４箇所に、閉じ位置側へ向かって戸パネルを移行案内する引込み溝を設ける形態（特許文献３、４参照）などがある。本発明のフラット引戸においては、断面錨形の揺動レールを前後に揺動させて、戸パネルを引き違い位置と閉じ位置とに変位させるが、この種の揺動レールは特許文献１に開示してある。
【０００３】
【特許文献１】実用新案登録公報第２５２４８７９号（第２頁右欄３６行、第１図）
【特許文献２】特公平６−８５８０号公報（第３頁右欄２３行、第５図）
【特許文献３】実公昭６１−１４５３７号公報（第２頁右欄３６行、第２図）
【特許文献４】実公昭６１−１５１６４号公報（第２頁左欄２５行、第２図）
【発明の開示】
【発明が解決しようとする課題】
【０００４】
先に例示したように、フラット引戸に関する提案は従来から数多くあるものの、変位機構の構造が複雑で、フラット引戸の全体コストが高く付くこと、さらに戸パネルの開閉に要する力が大きく、通常の引戸と同様の感覚で軽快に行えないなどの理由で、実用化に至るケースはごく稀でしかない。
【０００５】
フラット引戸の操作性の悪さは、左右の戸パネルを互いに連動開閉可能に構成してある揺動レール型において顕著であり、比較的小形の内装用の戸パネルであっても、大きな力を加えなければ開閉できない点に問題がある。また、揺動レール型と引込み溝型のいずれの変位機構においても、個々の変位機構に特有の開閉方法に従って戸パネルを開閉しなければならず、通常の引戸と同様の感覚で開閉できないこと、戸パネルを閉じ位置と引き違い位置との間で前後変位させるとき、戸パネルが前後方向（戸パネルの厚み方向）へがたついて安定せず円滑な開閉を行えないこと、変位機構によっては片手で戸パネルを引き違い操作しながら、他方の手で戸パネルを押し込み、あるいは引き出し操作する必要があり、操作が面倒であることなどの難がある。
【０００６】
本発明の目的は、変位機構を簡素化して、その分だけフラット引戸の全体コストを削減できるうえ、戸パネルを軽快かつ円滑に、しかも常に安定した状態で開閉できる、内装用の引戸として好適なフラット引戸を提供することにある。本発明の目的は、ガイドレール用の節動機構とロック機構とを備えていて、ガイドレールの切り換え動作の支援と、引き違い位置と閉じ位置におけるガイドレールの位置保持を行え、さらに引き違い位置へ切り換わったガイドレールをロック保持できるフラット引戸を提供することにある。
【課題を解決するための手段】
【０００７】
本発明のフラット引戸は、互いに引き違い可能に設けられ、閉じ状態において面一状に隣接する戸パネル２Ｌ・２Ｒが開口枠１に設けてある。開口枠１の上下には、隣接する少なくとも一方の戸パネル２Ｒを、閉止位置と開放位置とに変位可能に支持する上レール装置２０と下レール装置２１とを設ける。前記戸パネル２Ｒには、上ガイドレール２３で転動案内される複数個のローラー１４と、下レール装置２１で移行案内される複数個の振止め具１６とが設けてある。下レール装置２１は、開放位置へ変位操作された戸パネル２Ｒの振止め具１６を移行案内する主レール４６と、主レール４６の閉止端に設けられて、振止め具１６を閉止位置と開放位置との間で移行案内する誘導溝５４を備えたエンドブロック４７・４８とを含む。上レール装置２０は、開口枠１に固定されるレールブラケット２２と、レールブラケット２２で閉止位置と開放位置とに前後揺動可能に支持される上ガイドレール２３と、上ガイドレール２３を開放位置においてロック保持するレールロック機構２４と、上ガイドレール２３を閉止位置および開放位置において位置保持する節動機構２５とを含む。戸パネル２Ｒに、戸パネル２Ｒの閉止位置への移動に先行してレールロック機構２４をロック解除操作するロック解除体１７を設ける。
上ガイドレール２３は、レールブラケット２２の内底面に沿って転動する湾曲ベース２９と、湾曲ベース２９から上向きに突設されるレール枠３０と、レール枠３０の上端に設けられるレール３１とを一体に備えた条材からなる。レールロック機構２４は、レールブラケット２２で上下揺動可能に軸支されるロックブロック４２と、ロックブロック４２をロック付勢するロックばね４３とからなる。ロックブロック４２には、開放位置へ揺動したレール３１と係合して、上ガイドレール２３を開放位置に保持固定する捕捉体４４を設ける。以て、戸パネル２Ｒが開放位置から閉止位置へ移行するのに先行して、ロック解除体１７がロックブロック４２をロックばね４３の付勢力に抗してロック解除操作できるように構成する。
【０００８】
具体的には、隣接する戸パネル２Ｌ・２Ｒの一方を、開口枠１に設けたガイドレール７でローラー４を介して引き違い開閉のみ可能に吊持する。隣接する戸パネル２Ｌ・２Ｒの隣接端面には、傾斜するすれ違い面１１を形成する。他方の戸パネル２Ｒは、上レール装置２０と下レール装置２１とによって、閉止位置と開放位置との間で前後変位可能に支持する。
【００１０】
節動機構２５は、開口枠１で前後揺動可能に軸支した支軸３３と、支軸３３でスライド自在に支持した節動軸３４と、節動軸３４の突端に固定した押圧ブロック３５と、節動軸３４をレール３１に向かって押し付け付勢する節動ばね３６とを含む。節動軸３４の揺動中心位置を、上ガイドレール２３の前後揺動ストロークの中央近傍に配置する。
【００１１】
エンドブロック４７・４８に、引き違い開閉のみ可能に吊持案内された戸パネル２Ｌの振止ローラー６を移行案内する連絡溝５２、および側端溝５６と、他方の戸パネル２Ｌの振止ローラー１６を閉止位置と開放位置との間で移行案内する誘導溝５４とを形成する。誘導溝５４の閉止端における溝中心は、連絡溝５２および側端溝５６の溝中心に一致させる。後者振止ローラー１６の上下寸法、および誘導溝５４の溝深さを、前者振止ローラー６の上下寸法、および連絡溝５２および側端溝５６の溝深さより大きく設定する。
【発明の効果】
【００１２】
本発明においては、隣接する少なくとも一方の戸パネル２Ｒを、上レール装置２０と下レール装置２１とで閉止位置と開放位置とに変位可能に支持して、隣接する戸パネル２Ｌ・２Ｒを独立開閉できるようにするので、隣接する戸パネルを同時に前後揺動していた従来のフラット引戸に比べて、戸パネル用の変位機構を大幅に簡素化して、その分だけフラット引戸の全体コストを削減できる。また、隣接する戸パネル２Ｌ・２Ｒを独立開閉できるので、戸パネル２Ｌ・２Ｒを通常の引戸と同様の感覚で、しかもより小さな力で軽快に開閉でき、内装用の引戸として好適なフラット引戸とすることができる。
【００１３】
前後揺動する上ガイドレール２３と、上ガイドレール２３を開放位置においてロック保持するレールロック機構２４と、上ガイドレール２３を閉止および開放の各位置において位置保持する節動機構２５などで上レール装置２０を構成するので、開放位置に揺動した上ガイドレール２３をレールロック機構２４で復帰揺動不能に固定保持できる、また、揺動途中の上ガイドレール２３切り換え動作を節動機構２５で支援し、さらに開放位置と閉止位置における上ガイドレール２３の位置保持を行うことができる。
【００１４】
したがって、本発明によれば、開閉時における戸パネル２Ｌ・２Ｒの前後方向へのがた付きを一掃して、戸パネル２Ｌ・２Ｒをより円滑にしかも常に安定した状態で開閉でき、開閉動作を確実化できる。戸パネル２Ｒに設けたロック解除体１７は、戸パネル２Ｒを開放位置から閉止位置へ変位操作するとき、レールロック機構２４をロック解除操作して上ガイドレール２３を復帰揺動させるために設けてある。
【００１５】
隣接する戸パネル２Ｌ・２Ｒの一方を、開口枠１に設けたガイドレール７で引き違い開閉のみ可能に吊持し、他方の戸パネル２Ｒは、上レール装置２０と下レール装置２１とで、閉止位置と開放位置との間で前後変位可能に支持したフラット引戸によれば、後者戸パネル２Ｒを開放位置へ変位操作することで、隣接する戸パネル２Ｌ・２Ｒのそれぞれを独立開閉できるので、従来のフラット引戸に比べて、戸パネル用の変位機構をさらに簡素化してフラット引戸の全体コストを削減できる。しかも、隣接する戸パネル２Ｌ・２Ｒのそれぞれを個別に開閉できるので、通常の引戸と同様の感覚で、しかもより小さな力で軽快に開閉操作できる。隣接する戸パネル２Ｌ・２Ｒの隣接端面にすれ違い面１１を形成するのは、隣接する戸パネル２Ｌ・２Ｒが接当干渉するのを避けながら、戸パネル２Ｒを円滑に開放操作するためである。
【００１６】
湾曲ベース２９と、レール枠３０と、レール３１を一体に備えた条材で上ガイドレール２３を構成すると、上ガイドレール２３が前後揺動するときの転動摩擦を最小限化でき、その分だけ戸パネル２Ｒの開閉操作を軽快に行える。ロックブロック４２と、ロックばね４３などでレールロック機構２４を構成し、ロックブロック４２に設けた捕捉体４４で開放位置へ揺動した上ガイドレール２３を係合固定する上レール装置２０によれば、戸パネル２Ｒを引き違い開閉するとき、上ガイドレール２３が前後にぐらつくのを確実に防止できるので、戸パネル２Ｌ・２Ｒを常に安定した状態で、しかも軽快に開閉できる。
【００１７】
前後揺動可能な支軸３３と、スライドできる節動軸３４と、押圧ブロック３５と、節動軸３４を移動付勢する節動ばね３６などで構成した節動機構２５によれば、支軸３３および節動軸３４が上ガイドレール２３に追随して前後揺動するとき、押圧ブロック３５が上ガイドレール２３に接当した状態のままで節動軸３４がスライド移動して、上ガイドレール２３と支軸３３との軌跡差を吸収できるので、上ガイドレール２３が閉止位置と開放位置との間で揺動するとき、前後にがた付くのを規制できる。また、死点を境にして上ガイドレール２３を節動ばね３６で揺動操作して、上ガイドレール２３の姿勢の切り換わりを支援できるので、例えば閉じ操作するときの戸パネル２Ｒを、開放位置から閉止位置へ確実に移動させて、隣接する戸パネル２Ｌ・２Ｒをぴったりと閉じることができる。
【００１８】
また、姿勢が切り換わった上ガイドレール２３を節動ばね３６で押し付けて、閉止位置あるいは開放位置に位置保持できるので、戸パネル２Ｒを引き違い開閉するとき上ガイドレール２３がぐらつくのを防止できる。支軸３３の揺動中心位置を、上ガイドレール２３の前後揺動ストロークの中央近傍に配置すると、閉止位置あるいは開放位置に切り換えた上ガイドレール２３を均等に押し付けて位置保持できる。
【００１９】
一方の振止ローラー１６の上下寸法、および誘導溝５４の溝深さが、他方の振止ローラー６の上下寸法と、連絡溝５２および側端溝５６の溝深さより大きく設定してあると、右側の戸パネル２Ｒを開閉するとき、振止ローラー１６が連絡溝５２や側端溝５６に入り込むのを規制できるうえ、左側の戸パネル２Ｌを開閉するとき、振止ローラー６が各エンドブロック４７・４８に設けた誘導溝５４に入り込むのを規制できる。したがって、左右の戸パネル２Ｌ・Ｒ２の開閉や、右側の戸パネルＲ２の斜め方向への前後移動をがた付きを伴うこともなく円滑に行うことができる。
【発明を実施するための最良の形態】
【００２０】
（実施例）  図１ないし図１２は本発明に係るフラット引戸の実施例を示す。図２において、符号１は開口枠、符号２Ｌ・２Ｒは開口枠１を引き違い開閉する一対の戸パネルである。左右一対の戸パネル２Ｌ・２Ｒのうち、図２に向かって左側の戸パネル２Ｌは引き違い開閉のみ可能に案内支持され、右側の戸パネル２Ｒは、左側の戸パネル２Ｌより前面側の開放位置において引き違い開閉可能に、しかも開放位置から左側の戸パネル２Ｌと面一になる閉止位置との間を前後変位できるように案内支持してある。閉止状態において面一状に隣接する両戸パネル２Ｌ・２Ｒの隣接端面には、それぞれ傾斜するすれ違い面１１を形成し、右側の戸パネル２Ｒを開放操作するとき、両戸パネル２Ｌ・２Ｒが接当干渉するのを避けられるようにしている。各戸パネル２Ｌ・２Ｒの前面には、開閉操作用の把手１２が設けてある。
【００２１】
図１に示すように、左側の戸パネル２Ｌの上部両側には、一対の鈎形のブラケット３が固定され、その縦壁部分の前面側に溝付きのローラー４が回転自在に軸支してある。さらに、戸パネル２Ｌの下部両側にはＬ字状のブラケット５が固定され、その横壁の下面側に縦軸回りに回転自在な２個の振止ローラー（振止具）６が軸支してある。ローラー４を開口枠１の上枠後面に固定したガイドレール７に掛止することにより、戸パネル２Ｌがガイドレール７に吊下げ支持された状態で移行案内され、さらに振止ローラー６が開口枠１の下枠に固定したガイドレール８で移行案内されて前後への振れが規制される。
【００２２】
図１に示すように、上側の固定ガイドレール７は上向きに開口するレール溝７ａを備えており、先のローラー４はレール溝７ａに嵌まり込んだ状態で溝底壁上を転動する。なお、下枠側のガイドレール８の詳細構造は、右側の戸パネル２Ｒ用の下レール装置２１とともに後述する。
【００２３】
右側の戸パネル２Ｒの上部両側には、ハット形に折れ曲がる一対のブラケット１３が固定され、その上端の縦壁部分の後面側に溝付きのローラー１４が回転自在に軸支してある。また、戸パネル２Ｒの下部両側にはＬ字状のブラケット１５が固定され、その横壁の下面側に縦軸回りに回転自在な振止ローラー（振止め具）１６が軸支してある。閉止端側のブラケット１３には、後述するレールロック機構２４をロック解除操作する解除ローラー（ロック解除体）１７が、縦軸回りに遊転自在に軸支してある。この戸パネル２Ｒを、開放位置から閉止位置へ前後変位可能に案内支持するために、開口枠１の上下に専用の上レール装置２０と下レール装置２１とを設けている。
【００２４】
上レール装置２０は、開口枠１に固定されるレールブラケット２２と、レールブラケット２２で前後揺動可能に支持される上ガイドレール２３と、上ガイドレール２３を開放位置においてロック保持するレールロック機構２４と、上ガイドレール２３を閉止位置、および開放位置においてそれぞれ位置保持する節動機構２５などで構成する。図１において符号２６は戸パネル２Ｌ・２Ｒと開口枠１との間の隙間を覆う化粧カバーである。
【００２５】
レールブラケット２２は、上すぼまり状の前後壁と底壁とで区画されるレール溝２２ａを備えたアルミニウム条材からなり、レール溝２２ａの開口縁の前後に上ガイドレール２３の揺動限界を規定する傾斜受面２７が形成してある。図１に示すように上ガイドレール２３は、湾曲ベース２９と、湾曲ベース２９から上向きに突設されるレール枠３０とを一体に備えた、断面が錨形のアルミニウム条材からなり、レール枠３０の上端にローラー１４を転動案内する断面優弧状のレール３１が一体に形成してある。上ガイドレール２３は、その湾曲ベース２９がレール溝２２ａの内底面に沿って転動することで前後へ揺動でき、これによりレール３１に掛止された戸パネル２Ｒを、図３に示す開放位置と、図４に示す閉止位置との間で前後に変位できる。
【００２６】
上記のように前後揺動する上ガイドレール２３の切り換え動作を支援し、さらに引き違い位置と閉じ位置の各位置において上ガイドレール２３を位置保持するために、開口枠１の側枠上部と上ガイドレール２３との間に節動機構２５を設けている。図５において、節動機構２５は、開口枠１の側枠に固定したブラケットで前後揺動可能に軸支される支軸３３と、支軸３３でスライド自在に支持される節動軸３４と、節動軸３４の突端にねじ込み固定される押圧ブロック３５と、節動軸３４をレール枠３０に向かって押し付け付勢する、圧縮コイルばねからなる節動ばね３６などで構成する。押圧ブロック３５の端面には、レール３１に外接する円弧溝３７が形成してある。
【００２７】
支軸３３の中心は、上ガイドレール２３に設けたレール３１の揺動ストロークの前後中心を通る平面上に設けてあり、例えば上ガイドレール２３が閉止位置から開放位置へ揺動するとき、節動軸３４の軸心が先の平面上の死点を僅かでも越えると、図５に示すように上ガイドレール２３が節動ばね３６のばね力によって開放位置へ揺動操作されて、その位置を保持できるようになっている。上ガイドレール２３が逆向きに揺動する場合にも、死点を境にして上ガイドレール２３を節動ばね３６で閉止位置へ揺動操作して、図５に想像線で示すようにその位置を保持できる。
【００２８】
図３および図４においてレールロック機構２４は、レールブラケット２２の縦壁前面に固定される軸受ブロック４０と、軸受ブロック４０に装着した軸４１で上下揺動可能に支持される、平面視が台形状のロックブロック４２と、軸受ブロック４０とロックブロック４２との間に配置されて、ロックブロック４２を図１において時計回転方向へロック付勢するロックばね４３とからなる。ロックブロック４２は、図３に示すロック姿勢と、図４に示すロック解除姿勢とに上下揺動できる。ロックブロック４２の下面には、開放位置へ揺動した上ガイドレール２３のレール３１に上方から係合する捕捉溝（捕捉体）４４が凹み形成してある。さらに、ロックブロック４２の下面には、先に説明した解除ローラー１７を閉止位置へ向かって誘導案内するロック解除溝４５が、下向きに開口する状態で形成してある。
【００２９】
図７に示すようにロック解除溝４５は、斜めに傾斜する主溝４５ａと、主溝４５ａに連続する誘導溝４５ｂとで構成する。ロックブロック４２を上面から見たときの主溝４５ａの傾き角度θは、後述する下レール装置２１の引込み溝５４ｂの傾き角度θ、および先に説明したすれ違い面１１の傾斜角度と一致させてある。図８に示すように誘導溝４５ｂは、ロックブロック４２の側端へ向かって上り傾斜させる。これは、捕捉溝４４が下向きに揺動してレール３１と係合した状態において、解除ローラー１７をロック解除溝４５内へ確実に誘導案内するためである。
【００３０】
下レール装置２１は、左右一対の主レール４６・４６と、これら主レール４６・４６の閉止端側に配置される第１・第２のエンドブロック４７・４８とで構成する。第１エンドブロック４７は、開口枠の下枠中央部分で左右の主レール４６の間に配置され、第２エンドブロック４８は、開口枠の閉止端に配置されて一方の主レール４６の側端を支持する。左側の戸パネル２Ｌを引き違い案内する左右一対のガイドレール８の端部も、同様に第１エンドブロック４７と第２エンドブロック４８に支持されて、左右の主レール４６・４６と前後平行に支持してある。
【００３１】
第１エンドブロック４７は厚板状のプラスチックブロックからなり、その上面両側の前後に、ガイドレール８および主レール４６を組み付けるための４個の締結座５１を凹み形成し、後側の締結座５１どうしを直線状の連絡溝５２で繋いでいる。この連絡溝５２は、左側の戸パネル２Ｌに設けた振止ローラー１６の通過を許すために設けてある。
【００３２】
前側の締結座５１のうち、図９に向かって左側の締結座５１に連続して誘導溝５４が形成され、右側の締結座５１に連続して、先の連絡溝５２と平行な案内溝５３が形成してある。誘導溝５４は、連絡溝５２と平行で長さが短い導入溝５４ａと、導入溝５４ａから連絡溝５２の溝端寄りへ向かって傾斜する引込み溝５４ｂとで逆へ字状に形成してある。引込み溝５４ｂの溝中心は連絡溝５２の溝中心と一致させてある。
【００３３】
第２エンドブロック４８は、厚板状のプラスチックブロックからなり、第１エンドブロック４７と対向する一側前後に限って、ガイドレール８および主レール４６を組み付けるための２個の締結座５５を凹み形成し、後側の締結座５５に連続して直線状の側端溝５６を凹み形成している。前側の締結座５５に連続して形成される誘導溝５４は、第１ブロック４７に形成した誘導溝５４と同じ構造としてあり、前側の締結座５５に連続する短い導入溝５４ａと、導入溝５４ａから側端溝５６の溝端寄りへ向かって傾斜する引込み溝５４ｂとで逆へ字状に形成してある。引込み溝５４ｂの後端の溝中心が側端溝５６の溝中心と一致させてある点も同じである。
【００３４】
ガイドレール８および主レール４６は、それぞれ上向きに開口するレール溝を備えたアルミニウム条材からなり、その開口内縁の前後に一対の横壁５８が張り出してある。左側の戸パネル２Ｌに設けた振止ローラー６は、ブラケット５と振止ローラー６との間に配置したばね９で押し下げ付勢されて、ローラー周面の上端に張り出したフランジ１０が先の横壁５８に受け止められた状態で遊転する（図１参照）。
【００３５】
図１０に示すように右側の戸パネル２Ｒに設けられる振止ローラー１６は、ブラケット１５と振止ローラー１６との間に配置したばね５９で押し下げ付勢してある。振止ローラー１６は、左側の戸パネル２Ｌに設けた振止ローラー６と比べて、ローラー径は同じであるがローラーの上下長が大きく、フランジ１０を備えていない。そのため、後者ローラー６のフランジ１０が横壁５８の上面で受け止められるのに対し、前者振止ローラー１６は主レール４６の横壁５８の前後壁で受け止められる。これに対応して、誘導溝５４・５４および案内溝５３の溝深さは、主レール４６の溝深さと同じに設定してある。また、前者振止ローラー６を案内する連絡溝５２と側端溝５６の溝深さは、ローラー長さに対応して先の誘導溝５４などの概ね半分の長さに設定してある。
【００３６】
上記のように、各振止ローラー６・１６の上下長さと溝深さが異ならせてあると、右側の戸パネル２Ｒを開閉するとき、振止ローラー１６が連絡溝５２や側端溝５６に入り込むのを規制できるうえ、左側の戸パネル２Ｌを開閉するとき、振止ローラー６が各エンドブロック４７・４８に設けた誘導溝５４に入り込むのを規制できる。したがって、左右の戸パネル２Ｌ・Ｒ２の開閉や、右側の戸パネルＲ２の斜め方向への前後移動をがた付きなく円滑に行うことができる。
【００３７】
閉止位置にある左右の戸パネル２Ｌ・Ｒ２は面一状になっており、上ガイドレール２３は図５に想像線で示すように節動機構２５でレール枠３０が後傾する状態で保持されている。このとき、ロックブロック４２は、図４に示すようにロックばね４３の付勢力に抗して解除ローラー１７で押し上げられて水平姿勢に保持されている。また、右の戸パネル２Ｒの振止ローラー１６は、図９に示すように第１・第２のエンドブロック４７・４８に設けた引込み溝５４ｂの後端に位置している。
【００３８】
上記の状態から把手１２に手を掛けて右側の戸パネル２Ｒを左側へ開き操作すると、左右の振止ローラー１６が引込み溝５４ｂに案内されて斜め前方向へ移動し、同時に上ガイドレール２３が徐々に前側へ揺動する。このとき、左右の振止ローラー１６は、引込み溝５４ｂから受ける反力の分力によって前向きの大きな力を受けるので、より軽い力で戸パネル２Ｒを開き操作できる。
【００３９】
解除ローラー１７が主溝４５ａから誘導溝４５ｂへ移行する状態では、上ガイドレール２３は開放位置に切り換えられて、レールブラケット２２の前側の傾斜受面２７に接当する。引き続いて戸パネル２Ｒを解放操作すると、図１２に示すように解除ローラー１７が横移動して誘導溝４５ｂから主レール４６へ抜け出るので、ロックブロック４２はロックばね４３の付勢力を受けて下方揺動し、図３に示すようにその捕捉溝４４が上ガイドレール２３のレール３１と係合して、上ガイドレール２３を開放位置に固定保持する。戸パネル２Ｒを完全に開放した状態においては、閉止端側の振止ローラー１６が案内溝５３に入り込んでいる。
【００４０】
上ガイドレール２３が後傾姿勢から前傾姿勢に切り換わるとき、節動機構２５はその節動軸３４の軸心が死点を通過し終えるまでは、上ガイドレール２３を後傾姿勢へ押し戻すように作用する。しかし、節動軸３４の軸心が死点を僅かでも越えると、上ガイドレール２３は節動ばね３６のばね力によって前方へ揺動操作され、図５に示すようにロックブロック４２と節動機構２５によって開放位置に確りと固定保持される。
【００４１】
したがって、右側の戸パネル２Ｒを引き違い開閉するとき、上ガイドレール２３が前後にがた付くことはなく、従来のフラット引戸に比べて戸パネル２Ｒを軽快にしかも安定した状態で開閉できる。上ガイドレール２３が開放位置へ揺動した状態では、右側の戸パネル２Ｒが左側の戸パネル２Ｌの開閉軌跡より前方に位置しているので、戸パネル２Ｌを左右方向へ自由に開閉操作できる。
【００４２】
右側の戸パネル２Ｒを閉じ位置へ戻すときは、左側の戸パネル２Ｌを開口枠１の左端の閉止位置へ戻す。この状態で右側の戸パネル２Ｒを閉じ操作すると、図８に示すようにその閉じ端寄りにおいて解除ローラー１７が他に先行してロック解除溝４５に入り込み、その誘導溝４５ｂを通過する間に、ロックブロック４２を徐々に押し上げ操作する。さらに、解除ローラー１７が主溝４５ａ内へ入り込んだ状態では、図４に示すようにロックブロック４２がロック解除姿勢に保持されて、捕捉溝４４がレール３１から分離し上ガイドレール２３のロック状態が解除される。
【００４３】
ロックブロック４２のロック解除操作に並行して、左右の振止ローラー１６が、導入溝５４ａから引込み溝５４ｂへと入り込んで斜後方へ誘導される。そのため、戸パネル２Ｒは概ね平行姿勢を維持した状態のままで斜めに移行し、その間に上ガイドレール２３を後方の閉止位置へと揺動変位させ、同時に節動機構２５が、死点を境にして上ガイドレール２３を閉止位置側へ押し付け操作する。
【００４４】
上記のように、左側の戸パネル２Ｌは単に引き違い開閉可能に支持し、右側の戸パネル２Ｒのみを開放位置と閉止位置との間で前後変位できるように支持したフラット引戸によれば、右側の戸パネル２Ｒを閉止位置から開放位置へ移動操作することで、左右の戸パネル２Ｌ・２Ｒのそれぞれをより小さな力で軽快に開閉でき、しかも両パネルを通常の引戸と同様の感覚で簡便に開閉できる。左右の戸パネルを互いに連動開閉可能に構成した従来のフラット引戸に比べて、変位機構を簡素化して、その分だけフラット引戸の全体コストを削減できる利点もある。
【００４５】
上記の実施例では、開口枠に左右一対の戸パネル２Ｌ・２Ｒが設けてある場合について説明したが、図１３（ａ）に示すように３個の戸パネル２Ｌ・２Ｒ・２Ｃで開口枠を開閉することができる。必要があれば図１３（ｂ）に示すように４個の戸パネル２Ｌ・２Ｒ・２Ｃで開口枠を開閉してもよい。なお、４個の戸パネル２で開口枠を開閉する場合には、中央で隣接する２個の戸パネル２Ｃ・２Ｃを、開口枠１の上枠後面に固定したガイドレール７と、開口枠１の下枠に固定したガイドレール８で移行案内する。そのうえで左右両側の戸パネル２Ｌ・２Ｒを、それぞれ上レール装置２０と下レール装置２１とで前後変位可能に支持する。このように、開口枠を開閉するための戸パネルは２個以上の組み合わせとして構成できる。
【００４６】
２から４枚枚構造のフラット引戸において、必要があれば、左右に隣接する戸パネルのそれぞれを、上レール装置２０と下レール装置２１とで前後変位可能に支持することができる。その場合には、２組の上レール装置２０と下レール装置２１とが必要になるが、左右の戸パネルのどちらをも自由に開閉できる。
【００４７】
上記の実施例以外に、振止め具６・１６は必ずしもローラーである必要はなく、出退のみ自在に支持されたピンや軸で形成することができる。ローラー４・１４は、複数個のローラーと、これらのローラーを軸支するランナーブロックとでランナーユニットとして構成してあってもよい。節動ばね３６は引っ張りばねで構成することができる。すれ違い面１１は必ずしも設ける必要はない。その場合には、隣接する戸パネル２Ｌ・２Ｒの間に設けたすれ違い可能な隙間を、閉止状態において各戸パネル２Ｌ・２Ｒに設けたシール材で塞ぐとよい。
【００４８】
ロック解除体１７はローラー構造以外に、例えばカム片として構成することができ、要はロックブロック４２を押し上げ操作できる構造であればよい。捕捉体４４は溝構造とする以外に、前後一対のリブで構成して、両リブでレール３１を前後に捕捉固定することができる。ロックブロック４２は、縦軸回りに揺動して上ガイドレール２３をロック固定し、あるいはロック解除するように構成することができる。ロック解除体１７および節動機構２５は、それぞれ上ガイドレール２３の左右両側に設けることができる。
【図面の簡単な説明】
【００４９】
【図１】フラット引戸の縦断側面図である。
【図２】フラット引戸の正面図である。
【図３】上レール構造を示す縦断側面図である。
【図４】レールロック機構をロック解除した状態の縦断側面図である。
【図５】節動機構を示す縦断側面図である。
【図６】レールロック機構の縦断側面図である。
【図７】図３におけるＡ−Ａ線断面図である。
【図８】図７におけるＢ−Ｂ線断面図である。
【図９】下レール構造を示す横断平面図である。
【図１０】エンドブロックの縦断正面図である。
【図１１】エンドブロックの縦断側面図である。
【図１２】戸パネルの開放途中状態を示す横断平面図である。
【図１３】フラット引戸の別の実施形態を示す概念図である。
【符号の説明】
【００５０】
２Ｌ・２Ｒ  戸パネル
１４  ローラー
１７  振止ローラー
２０  上レール装置
２１  下レール装置
２３  上ガイドレール
２４  レールロック機構
２５  節度機構
４４  捕捉溝
４６  主レール
４７  第１エンドブロック
４８  第２エンドブロック
【図１】
0004775899.tif 000002
【図２】
0004775899.tif 000003
【図３】
0004775899.tif 000004
【図４】
0004775899.tif 000005
【図５】
0004775899.tif 000006
【図６】
0004775899.tif 000007
【図７】
0004775899.tif 000008
【図８】
0004775899.tif 000009
【図９】
0004775899.tif 000010
【図１０】
0004775899.tif 000011
【図１１】
0004775899.tif 000012
【図１２】
0004775899.tif 000013
【図１３】
0004775899.tif 000014